(57)【特許請求の範囲】
【請求項１】
開口部の下部に設けられ、内障子及び外障子を支持する下枠であって、
前記内障子を支持する内側支持体と、
前記外障子を支持し、前記内側支持体よりも下方に位置する外側支持体と、
前記内側支持体と前記外側支持体とを連結し、上下方向に延びる中間連結壁部と、を備え、
前記外側支持体には、上方に向かって緩やかに突出し、前記外障子を案内する凸条部が設けられ、
前記凸条部の高さは、前記中間連結壁部の下端部に達しない高さとされ、
内側レールの高さは、樹脂下枠の上部の高さと略同一とされ、
前記外側支持体の屋外側の端部には、下方に延びる垂下部が設けられ、
前記垂下部は、前記外障子の見込み方向の内側に配置されていることを特徴とする下枠。
【請求項２】
前記凸条部には、上下方向に貫通する貫通孔が形成されている請求項１に記載の下枠。
【請求項３】
開口部の下部に設けられ、内障子及び外障子を支持する下枠であって、
前記内障子を支持する内側支持体と、
前記外障子を支持し、前記内側支持体よりも下方に位置する外側支持体と、
前記内側支持体と前記外側支持体とを連結し、上下方向に延びる中間連結壁部と、を備え、
前記外側支持体には、前記外障子を案内する案内部が設けられ、
前記案内部の屋外側には、下方に延びる垂下部が設けられ、
前記案内部の高さは、前記中間連結壁部の下端部に達しない高さとされ、
内側レールの高さは、樹脂下枠の上部の高さと略同一とされ、
前記垂下部は、前記外障子の見込み方向の内側に配置されていることを特徴とする下枠。
【請求項４】
請求項１から３のいずれか一項に記載の下枠と、上枠と、左右の縦枠とを有する枠体と、
前記枠体に支持された内障子及び外障子と、を備え、
前記外障子の下部には、屋外側に向かって突出する突出部が設けられ、
前記下枠には、前記突出部の前記屋外側に配置され、前記突出部と当接可能な当接部が設けられていることを特徴とする建具。
【発明の詳細な説明】
【技術分野】
【０００１】
本発明は、構造物の開口部に設けられる下枠及び建具に関するものである。
【背景技術】
【０００２】
従来から、構造物の開口部に設けられる建具として、例えば特許文献１に記載されたサッシ窓が提案されている。このサッシ窓は、上枠、下枠及び左右の縦枠からなる窓枠に、外障子及び内障子が納められている。下枠は、内障子を支持する部分の方が、外障子を支持する部分よりも上方に位置している。つまり、見込み方向に沿った鉛直断面で、下枠は、屋内側の部分の方が屋外側の部分よりも上方に位置する階段状に形成されている。下枠の内障子を支持する部分及び外障子を支持する部分には、それぞれ上方に立設された下レールが設けられている。これら下レールにより、内障子及び外障子がそれぞれ案内される構成とされている。また、下枠には、内障子との間の隙間をシールするヒレが設けられている。
【先行技術文献】
【特許文献】
【０００３】
【特許文献１】特許第４０１４８７１号公報
【発明の概要】
【発明が解決しようとする課題】
【０００４】
しかしながら、上記の特許文献１に記載されたサッシ窓では、下枠が階段状をなしており、下枠の外障子を支持する部分の上面、下枠から立設された屋外側の下レール及び下枠の外障子を支持する部分と内障子を支持する部分との間の鉛直面により、凹部が形成されるため、当該凹部に雨水等の水が溜まってしまう。この水が、内障子との間の隙間をシールするヒレに付着すると、ヒレから下枠を伝わって、屋内に水が入ってきてしまうという問題点がある。
【０００５】
そこで、本発明は、上記事情に鑑みてなされたものであり、水が下枠から屋内へ浸入することを抑制した下枠及び建具を提供する。
【課題を解決するための手段】
【０００６】
上記目的を達成するために、本発明は以下の手段を採用している。
すなわち、本発明に係る下枠は、開口部の下部に設けられ、内障子及び外障子を支持する下枠であって、前記内障子を支持する内側支持体と、前記外障子を支持し、前記内側支持体よりも下方に位置する外側支持体と、前記内側支持体と前記外側支持体とを連結し、上下方向に延びる中間連結壁部と、を備え、前記外側支持体には、上方に向かって緩やかに突出し、前記外障子を案内する凸条部が設けられ、前記凸条部の高さは、前記中間連結壁部の下端部に達しない高さとされ、内側レールの高さは、樹脂下枠の上部の高さと略同一とさ、前記外側支持体の屋外側の端部には、下方に延びる垂下部が設けられ、前記垂下部は、前記外障子の見込み方向の内側に配置されていることを特徴とする。
【０００７】
このように構成された下枠では、内障子を支持する内側支持体及び外障子を支持し内側支持体よりも下方に位置する外側支持体により、屋外側に向かって下方に下がる形状をなしている。外障子を案内する凸条部は外側支持体から上方に向かって緩やかに突出する形状をなすため、外側支持体の上面に雨水等の水が付着しても、水は緩やかに突出する凸条部を乗り越えて屋外側に流れていき、外側支持体の上面において凸条部と内側支持体との間で水が溜まりにくい。よって、外側支持体の上面に付着した水が屋内へ浸入することが抑制される。
【０００８】
また、本発明に係る下枠は、前記凸条部には、上下方向に貫通する貫通孔が形成されていることが好ましい。
【０００９】
このように構成された下枠では、凸条部には上下方向に貫通する貫通孔が形成されているため、たとえ外側支持体に上面に水が溜まったとしても、水が凸条部の貫通孔から下方に排水される。
【００１０】
また、本発明に係る下枠は、開口部の下部に設けられ、内障子及び外障子を支持する下枠であって、前記内障子を支持する内側支持体と、前記外障子を支持し、前記内側支持体よりも下方に位置する外側支持体と、前記内側支持体と前記外側支持体とを連結し、上下方向に延びる中間連結壁部と、を備え、前記外側支持体には、前記外障子を案内する案内部が設けられ、前記案内部の屋外側には、下方に延びる垂下部が設けられ、前記案内部の高さは、前記中間連結壁部の下端部に達しない高さとされ、内側レールの高さは、樹脂下枠の上部の高さと略同一とされ、前記垂下部は、前記外障子の見込み方向の内側に配置されていることを特徴とする。
【００１１】
このように構成された下枠では、内障子を支持する内側支持体及び外障子を支持し内側支持体よりも下方に位置する外側支持体により、屋外側に向かって下方に下がる形状をなしている。外障子を案内する案内部の屋外側には下方に延びる垂下部が設けられているため、外側支持体の上面に雨水等の水が付着しても、水は垂下部に沿って下方且つ屋外側に流れていき、外側支持体の上面において案内部と内側支持体との間で水が溜まりにくい。よって、外側支持体の上面に付着した水が屋内へ浸入することが抑制される。
【００１２】
また、本発明に係る建具は、上記のいずれか一に記載の下枠と、上枠と、左右の縦枠とを有する枠体と、前記枠体に支持された内障子及び外障子と、を備え、前記外障子の下部には、屋外側に向かって突出する突出部が設けられ、前記下枠には、前記突出部の前記屋外側に配置され、前記突出部と当接可能な当接部が設けられていることを特徴とする。
【００１３】
このように構成された建具では、外障子の下部には、屋外側に向かって突出する突出部が設けられ、下枠には突出部の屋外側に配置され突出部と当接可能な当接部が設けられている。これにより、外障子が屋内側から屋外側に向かう風圧を受けた場合でも、下枠の当接部が外障子の突出部と当接する。よって、外障子に作用する荷重が下枠に伝達され、外障子が枠体から外れることが抑制される。
また、下枠の当接部が外障子の突出部と当接することで、下枠が外障子の荷重を支持する。よって、案内部が外障子の荷重を大きく支持する必要がなく、いわゆるノンレールのような案内部の大きさを抑えた形状や、案内部を外側支持体から突出させないような形状とすることができる。
【発明の効果】
【００１４】
本発明に係る下枠及び建具によれば、下枠において凸条部の屋内側に水が溜まりにくいため、水が下枠から屋内へ浸入することが抑制される。
【図面の簡単な説明】
【００１５】
【図１】本発明の一実施形態に係る引き違い窓を屋外側から見た正面図である。
【図２】図１に示す引き違い窓の要部縦断面図である。
【図３】図１に示す引き違い窓の要部水平断面図である。
【図４】図２の下枠を抜き出した図である。
【図５】本発明の一実施形態に係る引き違い窓の外障子の下部を斜め下から見た斜視図である。
【図６】本発明の一実施形態に係る引き違い窓における下枠の屋外側部分と外障子の下部を示す縦断面図である。
【発明を実施するための形態】
【００１６】
以下、本発明の一実施形態による建築物の開口部に設けられる建具の一例として、引き違い窓を図１から図６に基づいて説明する。
図１は、本発明の一実施形態に係る引き違い窓を屋外側から見た正面図である。図２は、図１に示す引き違い窓の要部縦断面図である。図３は、図１に示す引き違い窓の要部水平断面図である。なお、図１及び図３では、網戸の図示を省略している。
図１から図３に示す引き違い窓１は、上枠２と下枠３と左右の縦枠４とで四角形枠状に形成された枠体５内に、内障子７と外障子８が見込み方向に納められている。内障子７と外障子８は、それぞれ上框１０と下框１１と左右の縦框１２、１３とで四角形枠状に形成されている。
【００１７】
図２及び図３に示すように、内障子７と外障子８の内部には、例えばペアガラス等の複層ガラス９が納められている。複層ガラス９は、見込み方向に離間して配置された２枚のガラスパネル２０を有している。ガラスパネル２０の間の四辺の端部には、スペーサ２１がそれぞれ介在している。複層ガラス９の四辺の側端部は断面略Ｕ字状のグレージングチャンネル２２で全周に亘って連続して囲われている。このグレージングチャンネル２２で覆われた複層ガラス９が、上框１０と下框１１と左右の縦框１２、１３に嵌め込まれている。
【００１８】
また、図２に示すように、枠体５には、外障子８の屋外側に網戸５０が設けられている。網戸５０は、上框５１と、下框５２と、左右の縦框（不図示）と、これら框で四角形枠状に形成された内部に張られた網５３と、を有している。
【００１９】
上枠２は、屋外側に設けた金属上枠２ａの屋内側に樹脂上枠２ｂが連結されている。下枠３は、屋外側に設けた金属下枠３ａの屋内側に樹脂下枠３ｂが連結されている。図３に示す左右の縦枠４においても同様に屋外側に設けた金属縦枠４ａの屋内側に樹脂縦枠４ｂが連結されている。金属上枠２ａ、金属下枠３ａ、金属縦枠４ａはアルミ合金等の金属からなっている。
【００２０】
図２に示す下枠３において、金属下枠３ａの屋外側には、網戸５０の下部を案内する網戸レール３７が一体に形成されている。また、金属下枠３ａにおいて網戸レール３７の屋内側には、外障子８の下部に設けた後述する戸車１４を走行させる外側レール１５が一体に形成されている。また、金属下枠３ａにおいて外側レール１５の屋内側には外側レール１５より１段高い位置に、内障子７の下部に設けた後述する戸車１７を走行させる内側レール１６が設けられている。
【００２１】
また、内障子７において、上框１０は、屋外側に設けた金属上框１０ａの屋内側に樹脂上框１０ｂが連結されている。下框１１は、屋外側に設けた金属下框１１ａの屋内側に樹脂下框１１ｂが連結されている。図３に示す左右の縦框１２、１３においても同様に屋外側に設けた金属縦框１２ａ、１３ａの屋内側に樹脂縦框１２ｂ、１３ｂが連結されている。これら金属上框１０ａ、金属下框１１ａ、金属縦框１２ａ、１３ａはアルミ合金等からなる。
さらに、外障子８においても、上框１０、下框１１、左右の縦框１２、１３に同一の構成を備えており、同一の符号を用いて説明を省略する。なお、縦框１２は戸先側の框であり、縦框１３は召し合わせ部の框である。
【００２２】
図２に示すように、内障子７の金属下框１１ａは、グレージングチャンネル２２を囲うように断面略コの字状のパネル受け部２６を有している。パネル受け部２６の下側には、戸車保持部２７が連結されている。戸車保持部２７は、戸車１７を保持している。この戸車１７が、金属下枠３ａの内側レール１６に案内されている。
【００２３】
また、外障子８の金属下框１１ａは、グレージングチャンネル２２を囲うように断面略コの字状のパネル受け部２６を有している。外側レール１５が内側レール１６より一段下がった階段状の位置に形成されているため、パネル受け部２６の下方には、受け板２８が形成されている。受け板２８の下側には、戸車保持部２７が連結されている。戸車保持部２７は、戸車１４を保持している。この戸車１４が、金属下枠３ａの外側レール１５に案内されている。戸車１４は、外障子８の屋内側の下端部よりも下方に配置されている。これにより、外障子８が外側レール１５に案内される際に、外障子８の屋内側の下端部が下枠３の金属下枠３ａに接触することがない。
【００２４】
次に、下枠３の金属下枠３ａの構成について詳細に説明する。
図４は、図２の下枠を抜き出した図である。なお、外障子８及び網戸５０の図示を省略している。
図４に示すように、金属下枠３ａは、外側レール１５が内側レール１６より一段下がった階段状の角部に形成されている。
【００２５】
金属下枠３ａは、内障子７を支持する第一段部（内側支持体）３１と、外障子８（図２参照。以下同様。）を支持する第二段部（外側支持体）３２と、網戸５０を支持する第三段部３３とを有している。第二段部３２は第一段部３１よりも下方に位置し、第三段部３３は第二段部３２よりも下方に位置している。
【００２６】
第一段部３１は、略水平に形成されている。第一段部３１には、上方に延びるレール支持部３１ａが設けられている。レール支持部３１ａは、見込み方向に離間して２条設けられている。このレール支持部３１ａの上部に、内側レール１６が係止されている。
【００２７】
第一段部３１の屋外側の端部には、外障子８の金属下框１１ａ（図２参照。以下同様。）に当接可能な気密材４０が設けられている。気密材４０により、外障子８と下枠３との間がシールされている。
【００２８】
第一段部３１の屋内側の端部と第二段部３２の屋内側の端部とは、上下方向に延びる屋内側連結壁部３４により連結されている。屋内側連結壁部３４は、第一段部３１よりも上方に延びている。屋内側連結壁部３４の上端部には、樹脂下枠３ｂが係止されている。屋内側連結壁部３４の上端部の屋外側の面には、内障子７の金属下框１１ａに当接可能な気密材４１が設けられている。気密材４１により、内障子７と下枠３との間がシールされている。
【００２９】
第一段部３１の見込み方向中間部と第二段部３２の見込み方向中間部とは、上下方向に延びる中間連結壁部３５により連結されている。
【００３０】
第二段部３２は、屋内側連結壁部３４と中間連結壁部３５とを接続する内側壁部３２ａと、内側壁部３２ａから屋外側に向かって延びる第一傾斜壁部３２ｂと、第一傾斜壁部３２ｂから屋外側に向かって延びる第二傾斜壁部３２ｃと、を有している。
【００３１】
内側壁部３２ａは、略水平に形成されている。第一傾斜壁部３２ｂ及び第二傾斜壁部３２ｃは、屋外側に向かうにしたがって次第に下方に向かうように傾斜している。第二傾斜壁部３２ｃは、水平よりも僅かに傾斜しており、第一傾斜壁部３２ｂよりも緩やかに傾斜している。
【００３２】
第二傾斜壁部３２ｃの屋外側の端部には、上方に向かって緩やかに突出する外側レール（凸条部、案内部）１５が形成されている。外側レール１５は、見込み方向に沿った鉛直断面において、断面略円弧状に形成されている。外側レール１５の上端部の高さは、第一傾斜壁部３２ｂの途中部分までとされている。換言すると、外側レール１５の高さは、中間連結壁部３５の下端部に達しない高さとされている。なお、外側レール１５の形状は、断面円弧状に限られず適宜設定可能であり、外障子８を案内できれば第二段部３２から突出しない形状であってもよい。
【００３３】
図３に示すように、外側レール１５には、見付け方向の端部に、上下方向に貫通する貫通孔１５ａが形成されている。
【００３４】
図４に示すように、第二段部３２の屋外側の端部と第三段部３３の屋内側の端部とは、上下方向に延びる屋外側連結壁部（垂下部）３６により連結されている。
【００３５】
第三段部３３は、略水平に形成されている。第三段部３３の屋外側の端部には、上方に向かって突出する網戸レール３７が設けられている。
【００３６】
次に、金属下枠３ａが外障子８を支持する構成について説明する。
図５は、引き違い窓１の外障子８の下部を斜め下から見た斜視図である。図６は、下枠３の屋外側部分と外障子８の下部を示す縦断面図である。
図２に示すように、上述の通り、外障子８の戸車１４は、金属下枠３ａの外側レール１５にスライド可能に支持されている。
【００３７】
また、図５及び図６に示すように、外障子８の縦框１２の下部には、振れ止め部材（突出部）６０が設けられている。振れ止め部材６０は、縦框１２に不図示の螺子等により取り付けられる取付部６１と、縦框１２の下端に沿って屋外側に延びる延出部６２と、を有している。さらに、振れ止め部材６０は、延出部６２からさらに屋外側に向かって突出する突起６３と、延出部６２から縦框１２の屋外側の面に沿って上方に延びる上向き部６４と、を有している。
【００３８】
図６に示すように、通常の状態では、振れ止め部材６０の突起６３は、金属下枠３ａの網戸レール（当接部）３７の屋内側に、隙間を有して配置されている。外障子８が金属下枠３ａの外側レール１５に案内されスライド移動する際に、振れ止め部材６０の突起６３が網戸レール３７に当接すれば、外障子８の見込み方向のがたつきが抑制される。なお、外障子８の縦框１３の下部にも同様に、不図示の振れ止め部材が設けられている。
【００３９】
このように構成された引き違い窓１では、内障子７を支持する第一段部３１及び外障子８を支持し第一段部３１よりも下方に位置する第二段部３２により、階段状に形成されている。このため、下枠３に雨水等の水が浸入しても、水は第一段部３１から下方の第二段部３２に流れて、下枠３には水が溜まりにくい構成とされている。
さらに、外障子８を案内する外側レール１５は第二段部３２から上方に向かって緩やかに突出する形状をなし、外側レール１５の上端部の高さは第一傾斜壁部３２ｂの途中部分までとされている。これにより、第二段部３２の上面に水が付着しても、水は緩やかに突出する外側レール１５を乗り越える。そして、水は屋外側連結壁部３６に沿って下方且つ屋外側に流れていく。よって、第二段部３２の上面において外側レール１５と中間連結壁部３５との間で水が溜まりにくい。したがって、第二段部３２の上面に付着した水が第一段部３１に設けられた気密材４０に付着して、屋内へ浸入することが抑制される。
【００４０】
また、外側レール１５には上下方向に貫通する貫通孔１５ａが形成されているため、たとえ第二段部３２に上面に水が溜まったとしても、水が外側レール１５の貫通孔１５ａから下方に排水される。
【００４１】
また、外障子８の下部には、屋外側に向かって突出する振れ止め部材６０が設けられ、金属下枠３ａには振れ止め部材６０の屋外側に配置され振れ止め部材６０と当接可能な網戸レール３７が設けられている。これにより、外障子８が屋内側から屋外側に向かう風圧を受けた場合でも、金属下枠３ａの網戸レール３７が外障子８の振れ止め部材６０と当接する。よって、外障子８に作用する荷重が下枠３に伝達され、外障子８が枠体５から外れることが抑制される。
【００４２】
また、金属下枠３ａの網戸レール３７が外障子８の振れ止め部材６０と当接することで、下枠３が外障子８の荷重を支持する。よって、外側レール１５が外障子８の荷重を大きく支持する必要がなく、外側レール１５をいわゆるノンレールのような大きさを抑えた形状や、第二段部３２から突出させないような形状とすることができる。
【００４３】
また、外側レール１５は第二段部３２から上方に向かって緩やかに突出する形状をなしているため、外側レール１５の第二段部３２からの立ち上がり部分にごみ等が溜まりにくく、清掃性を良好とすることができる。さらには、外側レール１５は見込み方向に沿った鉛直断面において略円弧状に形成されているため、踏みつけても痛く、安全性が高い。
【００４４】
なお、上述した実施の形態において示した各構成部材の諸形状や組み合わせ等は一例であって、本発明の主旨から逸脱しない範囲において設計要求等に基づき種々変更可能である。
【００４５】
例えば、上記に示す実施形態において外側レール１５には水を排水するための貫通孔１５ａが形成されているが、貫通孔１５ａは無くてもよい。さらには、外障子８の縦框１２，１３の下部に振れ止め部材６０を設けているが、振れ止め部材６０を下框１１に設ける構成であってもよい。
【００４６】
また、上記に示す実施形態において、枠及び框は、樹脂とアルミ合金等の金属とのアルミ樹脂複合部材からなるが、本発明はこれに限られず、金属のみまたは樹脂のみにより構成されていてもよい。
【００４７】
下枠３は、水が屋内へ浸入しにくい構成であるため、第二段部３２の位置を従来よりも下方に配置して、第二段部３２に不図示の断熱材を設けることも可能である。
【符号の説明】
【００４８】
１…引き違い窓（建具）
２…上枠
３…下枠
４…縦枠
５…枠体
７…内障子
８…外障子
１５…外側レール（凸条部、案内部）
１５ａ…貫通孔
１６…内側レール
３１…第一段部（内側支持体）
３２…第二段部（外側支持体）
３７…網戸レール（当接部）
６０…振れ止め部材（突出部）
【図１】
0006697238.tif 000002
【図２】
0006697238.tif 000003
【図３】
0006697238.tif 000004
【図４】
0006697238.tif 000005
【図５】
0006697238.tif 000006
【図６】
0006697238.tif 000007